(57)【要約】【課題】  表裏面から効率的に照射可能な面状発光体を提供する。【解決手段】  本発明の面状発光体は、導光板と、導光板の側方に配置されたＬＥＤ基板と、ＬＥＤ基板に実装されたＬＥＤと、ＬＥＤに電源を供給する電源部と、導光板を支持するフレームを備えている。導光板の裏面側に拡散パターンが印刷され又は拡散パターンが印刷された透明フィルムが貼付されている。フレームは支持部と被覆部を備えている。導光板の側周面の全部又は一部が前記フレームの被覆部で被覆されている。導光板の拡散パターンが設けられた面と反対側の面側に保護板を設けてもよい。導光板及び保護板はガラス板又はアクリル板とすることができる。導光板と保護板の間に空気層を形成してもよい。【選択図】図１
2017021916.tif 000002
【特許請求の範囲】
【請求項１】
ＬＥＤから照射される光を当該ＬＥＤの出射方向先方に配置された拡散板の拡散部で拡散させて面状に照明する面状発光体において、
導光板と、当該導光板の側方に配置されたＬＥＤ基板と、当該ＬＥＤ基板に実装されたＬＥＤと、当該ＬＥＤに電源を供給する電源部と、前記導光板を支持するフレームを備え、
前記導光板の裏面側に拡散パターンが印刷され又は拡散パターンが印刷された透明フィルムが貼付され、
前記フレームは前記導光板を支持する支持部と当該導光板の側周面を被覆する被覆部を備え、
前記導光板はその側周面の全部又は一部が前記フレームの被覆部で被覆された、
ことを特徴とする面状発光体。
【請求項２】
請求項１記載の面状発光体において、
導光板の拡散パターンが印刷され又は拡散パターンが印刷された透明フィルムが貼付された面と反対側の面側に、透光性を有する保護板が設けられた、
ことを特徴とする面状発光体。
【請求項３】
請求項１又は請求項２記載の面状発光体において、
導光板と保護板が屈折率の異なる材質製である、
ことを特徴とする面状発光体。
【請求項４】
請求項１から請求項３のいずれか１項に記載の面状発光体において、
導光板又は保護板はガラス板又はアクリル板である、
ことを特徴とする面状発光体。
【請求項５】
請求項２から請求項４のいずれか１項に記載の面状発光体において、
導光板と保護板の相互に対向する面の双方又はいずれか一方の面に離間突起が設けられ、導光板と保護板の間に空気層が形成された、
ことを特徴とする面状発光体。
【請求項６】
請求項５記載の面状発光体において、
離間突起は、導光板又は／及び保護板の照射面に対して垂直な方向から見たときに拡散パターンの柄に重なる位置に設けられた、
ことを特徴とする面状発光体。
【発明の詳細な説明】
【技術分野】
【０００１】
本発明は、ＬＥＤから照射される光を、当該ＬＥＤの出射方向先方に配置された拡散板の拡散部で拡散させて面状に照明する面状発光体に関する。
【背景技術】
【０００２】
従来、ＬＥＤから照射される光を拡散板の拡散部で拡散させて面状に発光する面状発光体が知られている。面状発光体は、例えば、収納棚やキャビネット等の収納家具における棚板や天板、側板のほか、テーブルの天板や看板など、様々な用途で用いられている（特許文献１〜３）。
【先行技術文献】
【特許文献】
【０００３】
【特許文献１】実用新案登録第３１７９６４６号公報
【特許文献２】特開２００３−１５１３３７号公報
【特許文献３】特開２０１３−２３２３３６号公報
【発明の概要】
【発明が解決しようとする課題】
【０００４】
従来の面状発光体のように、側面から光が漏れる面状発光体では、表裏面を効率的に照明することができない。また、従来の面状発光体は導光板に傷が付くと、その部分から光が漏れて照射面にムラが生じる（照射ムラが生じる）ことがある。
【０００５】
本発明の解決課題は、表裏面を効率的に照明でき、照射ムラが生じにくい面状発光体を提供することにある。
【課題を解決するための手段】
【０００６】
本発明の面状発光体は、ＬＥＤから照射される光を当該ＬＥＤの出射方向先方に配置された拡散板の拡散部で拡散させて面状に照明する面状発光体であって、導光板と、当該導光板の側方に配置されたＬＥＤ基板と、当該ＬＥＤ基板に実装されたＬＥＤと、当該ＬＥＤに電源を供給する電源部と、前記導光板を支持するフレームを備え、導光板の裏面側に拡散パターンが印刷され又は拡散パターンが印刷された透明フィルムが貼付され、前記フレームは前記導光板を支持する支持部と当該導光板の側周面を被覆する被覆部を備え、前記導光板はその側周面の全部又は一部が前記フレームの被覆部で被覆されたものである。
【０００７】
前記面状発光体において、導光板の拡散パターンが印刷され又は拡散パターンが印刷された透明フィルムが貼付された面と反対側の面側に、透光性を有する保護板を設けることもできる。導光板と保護板は屈折率の異なるものとすることができる。導光板及び保護板はガラス板又はアクリル板とすることができる。導光板と保護板の対向する両面の双方又はいずれか一方の面に離間突起を設けて、導光板と保護板の間に空気層が形成されるようにしてもよい。この場合、離間突起は、導光板又は／及び保護板の照射面に対して垂直な方向から見たときに拡散パターンの柄に重なる位置に設けるのが好ましい。
【発明の効果】
【０００８】
本発明の面状発光体は、その構成に応じて次の効果を奏する。
（１）導光板の側周面の全部又は一部を被覆部で被覆してあるため、光が導光板の側周面から漏れることがなく、導光板の表裏両面を効率的に照明することができる。
（２）導光板の側周面の全部又は一部を被覆部で被覆して、光が導光板の側周面から漏れないようにしてあるため、棚板などとして使用したときに、当該側面が外側に露出しても眩しくない。
（３）導光板に傷が付くと、その部分から光が漏れて照射ムラが生じるが、保護板を設置した場合には、導光板が傷付きにくく、傷付きによる照射ムラも生じにくい。
（４）保護板を設置した場合、当該保護板の側方にはＬＥＤを配置しないためそれ自体が照明することはないが、保護板と導光板、保護板と空気層、又は導光板と空気層の屈折率の違いによって、保護板の表面側が照明しているようにみえる。
（５）導光板と保護板を直接重ねた場合、両者の間に空気が溜まり、その部分が照明されずに照射ムラが生じることがあるが、離間突起によって導光板と保護板の間に空気層を形成した場合、空気溜りによる照明ムラが生じない。
（６）離間突起を、拡散パターンの柄と一致する位置に設けた場合、離間突起が目立たず、見栄えがよい。
【図面の簡単な説明】
【０００９】
【図１】本発明の面状発光体の一例を示す斜視図。
【図２】図１に示す面状発光体の分解斜視図。
【図３】（ａ）は図１に示す面状発光体の平面図、（ｂ）は（ａ）のＸ−Ｘ断面図、（ｃ）は（ａ）のＹ−Ｙ断面図。
【図４】（ａ）はガラス板の裏面側に離間突起を設けた場合の断面図、（ｂ）はアクリル板の表面側に離間突起を設けた場合の断面図、（ｃ）はガラス板の裏面側とアクリル板の表面側の双方に離間突起を設けた場合の断面図、（ｄ）は導光板として一枚のガラス板を用いる場合の一例を示す断面図。
【図５】本発明の面状発光体を装飾台として使用する場合の一例を示すものであって、（ａ）は面状発光体に脚を取り付けて装飾台とした場合の一例を示すもの、（ｂ）は面状発光体にアジャスタを取り付けて装飾台とした場合の一例を示すもの、（ｃ）は面状発光体に吊り具を取り付けて装飾台とした場合の一例を示すもの。
【発明を実施するための形態】
【００１０】
（実施形態）
本発明の面状発光体の一例を、図面を参照して説明する。一例として図１、図２及び図３（ａ）〜（ｃ）に示す面状発光体１は、横長方形状のフレーム２と、フレーム２に支持された平板状の導光板３と、当該導光板３の表面側に配置された保護板４と、導光板３の長手方向外側に配置されたＬＥＤ基板５と、ＬＥＤ基板５に実装されたＬＥＤ５ａ（チップ状のもの及びモジュール化したものも含む。本願において同じ。）と、ＬＥＤ基板５を収容する光源ケース６と、ＬＥＤ５ａに電源を供給する電源部７を備えたものである。なお、本願では、面状発光体１の長い方の辺を「長辺」と、短い方の辺を「短辺」として説明することとする。
【００１１】
前記フレーム２は、導光板３及び保護板４を支持するとともに当該導光板３の側周面の全部と保護板４の側周面の一部を被覆するものである。一例として図２に示すフレーム２は、二本の長辺フレーム８と二本の短辺フレーム９とで構成されている。長辺フレーム８は、縦向きに配置された一枚の長辺フラットバー８ａの内側に角パイプ８ｂが固定されたものであり、角パイプ８ｂの上面が長辺フラットバー８ａの上面よりも一段低くなるように固定することで段差ができるようにしてある。短辺フレーム９は、縦板９ｘと下板９ｙを備えたアングル９ａの下板９ｙに一枚の短辺フラットバー９ｂが固定されたものであり、短辺フラットバー９ｂの上面がアングル９ａの縦板９ｘの上面よりも一段低くなるようにすることで段差ができるようにしてある。長辺フレーム８の段差と短辺フレーム９の段差は同じ高さとなるようにしてあり、当該両段差部分（支持部）に導光板３が載置支持されるようにしてある。
【００１２】
短辺フレーム９の短辺フラットバー９ｂは下板９ｙの端部寄りの位置に固定してあり、短辺フラットバー９ｂとアングル９の縦板９ｘの間に前記光源ケース６が収まるようにしてある。短辺フラットバー９ｂにはその肉厚方向に向けて螺子孔１０が、下板９ｙのうち短辺フラットバー９ｂの螺子孔１０と対向する部分には、当該螺子孔１０と連通する貫通孔１１（図３（ｃ））が設けられ、後述する脚１２（図５（ａ））やアジャスタ１３（図５（ｂ））、吊下げ具１４（図５（ｃ））などを選択的に着脱できるようにしてある。
【００１３】
前記導光板３は、ＬＥＤ５ａから出射される光を拡散部（例えば、後述する拡散パターン１７）で拡散して面状に照明するためのものである。この実施形態では、導光板３はフレーム２の長辺フレーム８と短辺フレーム９の段差部上に載置され、両長辺側の側面の全体が長辺フレーム８の長辺フラットバー８ａ（被覆部）に被覆されるようにしてある。長辺フラットバー８ａ（被覆部）の内面側は鏡面加工してあり、光を反射して導光板３の両長辺側の側面からは光が外に漏れないようにしてある。
【００１４】
導光板３はＬＥＤ５ａからの光を導光可能である限り、様々なサイズ、形状及び材質とすることができる。一例として図１、図２及び図３（ａ）〜（ｃ）に示す導光板３は、厚さ５ｍｍ程度の横長方形状のアクリル板３であり、その裏面側に、ＬＥＤ５ａから出射される光を拡散するためのドット状の拡散パターン１７が印刷されたものである。出射された光は拡散パターン１７で拡散され、アクリル板３の表裏両面側に面状に透過される。この実施形態では、拡散パターン１７をアクリル板３の裏面側に直接印刷しているが、拡散パターン１７が印刷された透明フィルム（図示しない）をアクリル板３の裏面側に貼付してもよい。拡散パターン１７は、格子状や波状など、ドット以外の柄とすることもできる。
【００１５】
アクリル板３の両短辺寄りの箇所には、光源ケース６を係止するための係止溝３ａがアクリル板３の短辺と平行に設けられている。この係止溝３ａに係止される光源ケース６は、アクリル板３と対向する面（対向面）にスリット６ａを備えた細長の角パイプであり、スリット６ａの上下に設けられた上係止片６ｂ及び下係止片６ｃをアクリル板３の係止溝３ａに係止することによって、アクリル板３に取り付けられている。光源ケース６は、図１のＡ−Ａ矢印方向にスライドさせることによって、アクリル板３に取り付け或いはアクリル板３から取り外せるようにしてある。
【００１６】
光源ケース６の上下面の内面の対向位置には内溝６ｄが形成され、当該内溝６ｄにＬＥＤ基板５が縦向きに係止されている。ＬＥＤ基板５には複数のＬＥＤ５ａが実装され、当該ＬＥＤ５ａから出射される光がアクリル板３の対向面に照射されるようにしてある。なお、係止溝３ａは必要に応じて設ければよく、光源ケース６を他の方法で固定できる場合には設けなくてもよい。
【００１７】
前記ＬＥＤ基板５のそれぞれには電源コード１８及びＡＣ／ＤＣ変換回路（図示しない）が設けられ、直流電源がＬＥＤ５ａに供給されるようにしてある。一方のＬＥＤ基板５に接続されたコード１８ａは長辺フレーム８の角パイプ８ｂ内に収容されて、当該角パイプ８ｂの他端側から外側に引き出されている。角パイプ８ｂの外側に引き出されたコード１８ａは、他方のＬＥＤ基板５に接続された電源コード１８ｂとともに、光源ケース６の下面に形成された引き出し孔（図示しない）から外部に引き出されている。
【００１８】
前記保護板４は、アクリル板３への傷付きを防止するためのものである。一例として図１、図２及び図３（ａ）〜（ｃ）に示す保護板４は、アクリル板３と同程度の大きさの横長方形状であって、アクリル板３と屈折率の異なるガラス板４であり、両長辺の裏面側に階段状に切り欠かれた切欠き部４ａが長辺と平行に設けられている。このガラス板４は、切欠き部４ａよりも上側が厚さ５ｍｍ、切欠き部よりも下側が厚さ３ｍｍ（総厚８ｍｍ）のものであるが、ガラス板４の厚さはこれ以外であってもよい。ガラス板４の両長辺側のうち、切欠き部４ａよりも下の部分は長辺フレーム８の長辺フラットバー８ａ（被覆部）で被覆されるようにしてある。他方、ガラス板４の両長辺側のうち、切欠き部４ａよりも上側の部分は当該被覆部で被覆されずに露出されるようにしてある。
【００１９】
図４（ａ）に示すように、ガラス板４の裏面側（アクリル板３側）には数十μ単位の離間突起２０が設けられ、アクリル板３の上面側に積層したときに、ガラス板４とアクリル板３の間に、数十μｍの空気層１９が設けられるようにしてある。ガラス板４をアクリル板３の上に直接積層した場合、両板間に気泡が入り込むことがあり、その気泡によって光が面状に照射されないことがある。この点、離間突起２０によってガラス板４とアクリル板３の間に空気層１９を形成することで、気泡による不都合を解消することができる。離間突起２０は透光性を有する樹脂や接着剤を点状に直接印刷し、或いはこれら樹脂や接着剤を点状に印刷したフィルムを貼付することで形成することができる。
【００２０】
図４（ａ）の例では、ガラス板４の裏面側に離間突起２０を形成する場合を一例としているが、離間突起は図４（ｂ）のようにアクリル板３の表面側（ガラス板４側）に設けたり、図４（ｃ）のようにガラス板４の裏面側（アクリル板３側）とアクリル板３の表面側（ガラス板４側）の双方に設けたりすることもできる。いずれの場合も、離間突起２０は、本発明の面状発光体１を平面側から見たとき（照射面に対して垂直な方向から見たとき）に、拡散パターン１７の柄（ドット柄や格子柄など）と重なる位置に設けるのが好ましい。このように、拡散パターン１７の柄と重なるように設けることで、離間突起２０自体が目立たなくなり、離間突起２０によって発光面の見栄えが損なわれることがない。
【００２１】
アクリル板３及びガラス板４の両短辺側はカバー２１で覆われ、アクリル板３及びガラス板４の短辺側及び光源ケース６が外部から視認できないようにしてある。一例として図１に示すカバー２１は、上板２１ａと縦板２１ｂを備えたアングル材の長手方向側方が二枚の側板２１ｃで閉塞されたものである。カバー２１は、その上板２１ａが前記ガラス板４の表面側の周縁部に、縦板２１ｂが前記短辺フレーム９の縦板９ｘの外側に宛がわれて、当該縦板９ｘの外側から挿入されたビス等の止め具２２によって短辺フレーム９に固定されている。
【００２２】
（その他の実施形態）
前記実施形態では、導光板３がアクリル板、保護板４がガラス板の場合を一例としているが、導光板３及び保護板４は、アクリル板やガラス板以外のものを用いることもできる。
【００２３】
前記実施形態では、導光板３の一面側に保護板４が設けられた場合を一例として説明しているが、図４（ｄ）のように、保護板４を省略して導光板３のみとすることもできる。この場合、導光板３は傷付きにくいガラス製とするのが好ましいが、アクリル製とすることもできる。アクリル製とする場合、表面に傷付き防止用のフィルムなどを設けるのが好ましい。保護板４を省略する場合、導光板３の側周面の全部を長辺フレーム８の長辺フラットバー８ａ（被覆部）で被覆することもできるが、導光板３の側周面のうち、例えば裏面側の半分よりも下側を被覆部で被覆し、半分よりも上側を被覆せずに露出しておくこともできる。この場合、露出する部分には、その部分から光が漏れないように遮光フィルムや鏡面加工されたフィルムなどを貼付しておくのが好ましい。
【００２４】
（使用例）
本発明の面状発光体１の使用例について、図面を参照して説明する。一例として図５（ａ）に示す例は、面状発光体１を装飾台として利用する場合の例である。図５（ａ）に示す面状発光体１の裏面側には間隔をあけて二つの脚１２が設けられている。一例として図５（ａ）に示す脚１２は、間隔をあけて配置された二本の立設材１２ａと当該立設材１２ａの端部同士を連結する二本の連結材１２ｂを備えたものであり、立設材１２ａの上側を連結する連結材１２ｂが短辺フレーム９の短辺フラットバー９ｂに固定されている。脚１２は、ビスなどの止め具を螺子孔１０にねじ込むによって固定することができる。前記脚１２の構造は一例であり、面状発光体１の発光を阻害することなく、面状発光体１を支えられるものであれば、形状や構造、本数などに制限はない。
【００２５】
面状発光体１には、脚１２の代わりに高さ調節可能なアジャスタ１３を設けることもできる。一例として図５（ｂ）に示すアジャスタ１３は、土台部１３ａにネジ棒１３ｂが立設されたものであり、ネジ棒１３ｂを前記螺子孔１０にねじ込むことによって短辺フレーム９の短辺フラットバー９ｂに固定されている。前記アジャスタ１３の構造は一例であり、面状発光体１の発光を阻害することなく、面状発光体１を支えられるものであれば、形状や構造、本数などに制限はない。
【００２６】
面状発光体１には、脚１２やアジャスタ１３の代わりに、吊下げ具１４を設けることもできる。一例として図５（ｃ）に示す吊下げ具１４は、短辺フレーム９の裏面側に固定された補助板１４ａと、当該補助板１４ａに取り付けられたワイヤーグリップ１４ｂと、当該ワイヤーグリップ１４ｂに取り付けられたワイヤーロープ１４ｃを備えている。図５（ｃ）に示す補助板１４ａは横長の平板であり、その一部が面状発光体１の長手方向外側に突出するように、短辺フレーム９の底面側に取り付けられている。補助板１４ａのうち、面状発光体１の長手方向外側に突出した部分には、前記ワイヤーグリップ１４ｂが取り付けられている。
【００２７】
一例として図５（ｃ）に示すワイヤーグリップ１４ｂは、挟持部とワイヤ保持具を備えている。挟持部は間隔をあけて対向する一組の挟持片を備え、当該挟持片を補助板の表面側と裏面側に被せて、下側の挟持片の外側から止めネジをねじ込むことで、補助板に取り付けられている。ワイヤ保持具にはワイヤーロープ１４ｃが保持され、当該ワイヤーロープ１４ｃを任意の場所に係止又は固定できるようにしてある。図５（ｃ）に示す吊下げ具１４は一例であり、これ以外のものを用いることもできる。
【００２８】
面状発光体１は、装飾台のほか棚板として利用することもできる。この場合、例えば、棚板を支持する支持部と棚の背板や壁に固定する固定部を有するＬ字状の棚板取付け具の当該支持部に面状発光体１を固定し、当該棚板取付け具の固定部を棚の背板や壁などに固定することができる。面状発光体１は、収納家具の天板や側板、背面板、テーブルの天板、化粧室などに並んで設置される鏡台間の仕切り板、壁や扉に設ける嵌め込み照明、天井照明、看板照明など、様々な用途に用いることができる。
【００２９】
なお、前記実施形態では、面状発光体１を、ガラス板４が上側（表面側）、アクリル板３が下側（裏面側）となるように使用する場合を一例として説明しているが、ガラス板４が下側、アクリル板３が上側となるように上下を逆さまにして使用することもできる。また、前記実施形態では、面状発光体１を平置きにして使用する場合を一例としているが、本発明の面状発光体１は縦置きにして使用することもできる。前記実施形態では、面状発光体１が横長方形状の場合を一例として説明しているが、面状発光体１は正方形やひし形、五角形などの多角形、或いは円形や楕円形といった各種形状とすることもできる。
【産業上の利用可能性】
【００３０】
本発明の面状発光体１は、棚板や側板、背板、天板、仕切り板、照明といった様々な用途に用いることができる。
【符号の説明】
【００３１】
１      面状発光体
２      フレーム
３      導光板（アクリル板）
３ａ    係止溝
４      保護板（ガラス板）
４ａ    切欠き部
５      ＬＥＤ基板
５ａ    ＬＥＤ
６      光源ケース
６ａ    スリット
６ｂ    上係止片
６ｃ    下係止片
６ｄ    内溝
７      電源部
８      長辺フレーム
８ａ    長辺フラットバー
８ｂ    角パイプ
９      短辺フレーム
９ａ    アングル
９ｂ    短辺フラットバー
９ｘ    縦板
９ｙ    下板
１０    螺子孔
１１    貫通孔
１２    脚
１２ａ  立設材
１２ｂ  連結材
１３    アジャスタ
１３ａ  土台部
１３ｂ  ネジ棒
１４    吊下げ具
１４ａ  補助板
１４ｂ  ワイヤーグリップ
１４ｃ  ワイヤーロープ
１７    拡散パターン
１８、１８ａ、１８ｂ  電源コード
１９    空気層
２０    離間突起
２１    カバー
２１ａ  上板
２１ｂ  縦板
２１ｃ  側板
【図１】
2017021916.tif 000003
【図２】
2017021916.tif 000004
【図３】
2017021916.tif 000005
【図４】
2017021916.tif 000006
【図５】
2017021916.tif 000007